(57)【要約】【課題】使いやすく安価に製造できる可動収納棚を提供する。【解決手段】適宜個所に固定される一対のフレームを設け、一方、物品載置部分を有する可動棚をフレーム間に位置させるとともに、可動棚上部適所にスライド金具を設け、フレーム下部とスライド金具のスライド部分間にアームを軸支し、フレームと可動部間にスプリングを取り付けたことを特徴とする。【選択図】      図６
2006026347.tif 000002
【特許請求の範囲】
【請求項１】
適宜個所に固定される一対のフレームを設け、一方、物品載置部分を有する可動棚をフレーム間に位置させるとともに、可動棚上部適所にスライド金具を設け、フレーム下部とスライド金具のスライド部分間にアームを軸支し、フレームと可動部間にスプリングを取り付けたことを特徴とする可動型収納棚。
【発明の詳細な説明】
【技術分野】
【０００１】  この発明は、主にキッチンの天袋内に収納固定して使用する可動型の収納棚に関する。
【背景技術】
【０００２】  従来より、キッチンには天袋が備えられており、ここに物品を収納して使用している。
また、この天袋内に棚を収納し、この棚を手動または電動にて昇降させて棚上の物品の取り出しを容易にしたものはあるが、本発明にて示すようにスプリングとスライド機構を用いた簡易型の可動収納棚は現在のところ見当たらない。
【発明の開示】
【発明が解決しようとする課題】
【０００３】  既述の従来の可動式収納棚は、その構造上取り付け工事が必要であり、本発明にて示すような前方へのスライド機能が無く、高価である。また、それなりの重量を有するため取付のための補強工事を必要とするものであった。
本発明は、以上のような従来からの可動収納棚に関する課題を解決するための発明されたもので、前方へのスライド機能を有するとともにその取付も容易なる新規かつ有用なる物品を提供することを目的としたものである。
【課題を解決するための手段】
【０００４】  課題を解決する手段として本発明は、フレーム間に可動棚をアームとスライド金具及びコイルスプリングを介在させてその主要部を構成した。
すなわち、適宜個所に固定される一対のフレームを設け、一方、物品載置部分を有する可動棚をフレーム間に位置させるとともに、可動棚上部適所にスライド金具を設け、フレーム下部とスライド金具のスライド部分間にアームを軸支し、フレームと可動部間にスプリングを取り付ける。本発明は以上の構成よりなる可動型収納棚である。
【発明の効果】
【０００５】  本発明によれば、天袋内に固定されるフレーム間に可動棚が、アームとスプリングを介してスライド可能に位置しているので、この可動棚を手でつかんで前方に引き出して下げることができて、可動棚面の収納物を容易に取り出しまた収納することのできる便利な物品を提供することができる。また、スプリングの作用にて収納物品の重量を手で支える必要が無く、非力な者でもその操作が容易であり、本発明は構造簡易なためその製造価格面でも有利であり、特別な設置工事も不要であるなど、種々の利点を有するものである。
【発明を実施するための最良の形態】
【０００６】  以下、本発明の実施形態について説明する。
図において、１はフレームで、金属製Ｌ形板体を用いて側面視Ｌ形に形成したもので、切り欠き２が適宜に設けられる。また、フレーム下方適所には凸状の前方ストッパー３と板状の後方ストッパー４が設けられる。５は双方のフレーム間に位置する合成樹脂製の可動棚である。この可動棚は、その一部を切り欠いた略コ字形の側板６の下部両端に貫通孔を有し、両端に雄ネジ部を有する所定長の固定棒７をこの貫通孔に差し込み、雌ネジを有する円形のナットにて螺着固定してその主要形状が維持されている。
８は載置板で、切り欠き部を有するとともにその両端下部には円弧形の空隙を有し、この空隙を前記固定棒にはめ込んで固定される。なお、側板は上下２段に組み合わされ、その各々に載置板が位置する構成である。
９はスライド金具で、上段の側板側面に取り付けられる。このスライド金具は市販品で、机の引き出しなどに使われているもので、図４に示すように、略コ字形の外板１０の内に中板１１そして中板の内に内板１２が位置し、外板に対して中板および内板はスライド可能であるが、外板に対して内板が所定位置に来ると中板の作用で内板がストップする構成である。１３はアーム保持板で、内板外面に取り付けられる。
１４はアームで、フレーム下部側面とアーム保持板間にその両端が回動可能に軸支される。１５は引張型のコイルスプリングで、その一端はフレーム上端近傍に他端はアーム保持板に、それぞれ適宜支持部材にて取り付けられる。
以上が本発明の一実施形態である。【０００７】  本発明を使用するには、まず本装置を天袋内に取り付ける。
その一つの方法は、フレームの切り欠きを利用し、天袋内面にビス止めする方法である。
他の手段としては、市販の伸縮固定棒（通称つっぱり棒）を用い、フレーム下部上面と天袋内上面にこの伸縮固定棒を押圧位置させる方法である。以上の手段にてフレームは天袋内に固定される。
本発明を用いて収納物品を取り出すには、天袋の扉を開けて可動棚を手でつかんで前方へ引き出す力を与えると、スライド金具の作用にて可動棚は前方へスライド移動する。
所定位置まで来るとスライド金具のストップ機能にて外板１０に対する内板１２のスライドは停止し、アームが回動を始めて回動棚は前方へせり出すとともに下降を始める。
コイルスプリングは最初は撓んだ状態にあるが、このせり出しにてその固定間距離が伸びて直線状となり、可動棚のせり出し下降にて引張状態となるが、棚上に載置された物品の重量と手の力にてさらに下降移動し、やがてアームは前方ストッパーに押圧接触するので、ここで可動棚の移動が停止する。
この状態にて可動棚は初期状態より前方かつ下方に位置するので、棚上の物品の取りだしおよび載置を容易に行うことができる。その後、前述と逆の移動にて可動棚は初期状態へともどる。なお、この初期状態の可動棚の位置を保つため、後方ストッパーがあり、アームがこの後方ストッパーに接する位置より後方に移動することはない。【０００８】  本発明の内容については既述したが、本発明はフレームと可動棚による簡易構造とし、スライド金具とコイルスプリングを用いたところにその特徴がある。
従来品では単に棚の下降機能のみであるとともに、取り付け工事が必要であったが、本発明により可動棚の前方移動および下降が可能となり、また既述のようにその取り付けも容易であり、特別な設置工事も不要となったのである
なお、既述の実施形態では可動棚の分解と組み合わせが可能のため、図で示した２段形式以外に１段や３段など種々の形式が可能である。また、コイルスプリングはフレーム上端近傍とアーム保持板間に係止されているが、状況に応じてフレーム適所とアーム適所などその取り付け位置を変えて使用してもよい。そして、フレーム側面を覆うように板体を取り付けて視覚的変化をもたせてもよい。
以上のごとく、本発明にて構造簡易で使用に便利なる可動型の収納棚を得ることができる。
【図面の簡単な説明】
【０００９】
【図１】本発明の平面図
【図２】本発明の正面図
【図３】本発明の右側面図
【図４】本発明の要部説明図
【図５】本発明の右側面図（可動棚前方移動時）
【図６】本発明の右側面図（可動棚最下位置）
【符号の説明】
【００１０】  １  フレーム
２  切り欠き
３  前方ストッパー
４  後方ストッパー
５  可動棚
６  側板
７  固定棒
８  載置板
９  スライド金具
１０外板
１１中板
１２内板
１３アーム保持板
１４アーム
１５コイルスプリング
【図１】
2006026347.tif 000003
【図２】
2006026347.tif 000004
【図３】
2006026347.tif 000005
【図４】
2006026347.tif 000006
【図５】
2006026347.tif 000007
【図６】
2006026347.tif 000008